(57)【特許請求の範囲】
【請求項１】
建築物の床と、該床に目地を介して隣接する地盤との間に差し渡されて前記目地を覆うカバー体の一端を、前記床の側縁に連結手段を介して揺動可能に連結し、該カバー体の他端を自由端として、該自由端の上部端縁からカバー体の上面と略面一となるように、地盤側に向けて端部カバー板を延出し、さらに該自由端に、前縁を上方へ向けて傾斜する傾斜端縁とする略三角形状の複数の傾斜板を配設して、端部カバー板の基端を傾斜板の上辺で支持するとともに、
前記地盤の側縁に、水平受縁と、該水平受縁の外端に前記傾斜端縁と同方向に傾斜する傾斜受縁とを備えた摺動受枠体を配設し、
前記摺動受枠体の水平受縁上に、前記カバー体の自由端を乗載するとともに、前記端部カバー板の外端を地盤上に乗載し、該端部カバー板によってカバー体の傾斜端縁と摺動受枠体の傾斜受縁間に生じる作動空隙の上方を遮蔽するようにしたことを特徴とする目地カバー装置。
【請求項２】
前記連結手段を、
建築物の床の側縁に配設されて、目地の長手方向に沿って延在し、カバー体の一端が乗載される水平受縁を備えた保持受枠体と、
前記保持受枠体の水平受縁に立設されて、カバー体の底板に形成された挿通孔に遊嵌され、その上端にばね受部材が被着された複数の連結杆と、
前記連結杆に外嵌されて、カバー体の底板とばね受部材との間に介装され、カバー体を下方に付勢するばねと
によって構成したことを特徴とする請求項１に記載した目地カバー装置。
【請求項３】
前記摺動受枠体の水平受縁に一端を開口させ、他端を地盤の側端面に開口させた水抜きパイプによって、水平受縁の作動空隙を目地に連通させたことを特徴とする請求項１に記載した目地カバー装置。
【請求項４】
前記カバー体の少なくとも一側縁からカバー体の上面と略面一となるようにして側部カバー板を側方に向けて突設し、該側部カバー板によってカバー体の側方に生じる作動空隙の上方を遮蔽するようにしたことを特徴とする請求項１に記載した目地カバー装置。
【請求項５】
建築物の床と、該床に目地を介して隣接する地盤との間に差し渡されて前記目地を覆うカバー体の一端を、前記床の側縁に固定するとともに、該カバー体の他端を自由端とし、該自由端の端縁の上部からカバー体の上面と略面一となるようにして端部カバー板を地盤側に向けて延出させる一方、
前記地盤の側縁に、水平受縁と、該水平受縁の外端に垂直縁とを備えた断面略Ｌ形の摺動受枠体を配設し、
前記摺動受枠体の水平受縁上に、前記カバー体の自由端を乗載するとともに、前記端部カバー板の外端を地盤上に乗載し、該端部カバー板によってカバー体の端縁と摺動受枠の垂直縁間に生じる作動空隙を遮蔽するとともに、
前記摺動受枠体の水平受縁に一端を開口させ、他端を地盤の側端面に開口させた水抜きパイプによって、水平受縁の作動空隙を目地に連通させたことを特徴とする請求項１に記載した目地カバー装置。
【発明の詳細な説明】
【０００１】
【発明の属する技術分野】
本発明は、建築物と、該建築物の周囲に目地を介して隣接する地盤との間に差し渡されて前記目地を覆う目地カバー装置に関する。
【０００２】
【従来の技術】
図７に示すように、緩衝機能を備えた免震装置ａによって下部が支持された建築物ｂにあっては、該建築物ｂの周囲の地盤ｃとの間に、地震時における該建築物ｂの水平方向の揺れを吸収し得る所定幅の目地ｓが形成されており、該目地ｓの上方には該目地ｓを遮蔽するための張り出し縁ｄが建築物ｂの外壁面から外側方に水平状に突成されている。
【０００３】
【発明が解決しようとする課題】
前記張り出し縁ｄは、建築物ｂの周囲に沿って連続状に設けられるものであって、コンクリート等によって構成された建築物ｂの外壁に一体形成されており、所定の厚みを有している。このため、張り出し縁ｄと周囲の地盤ｃとの間には必然的に段差ｈが生じることとなり、特に、建築物ｂの出入り口にあたる部分では該段差ｈが通行等の障害になるという問題点があった。
【０００４】
本発明は、かかる従来の問題点を解消し得る目地カバー装置の提供を目的とするものである。
【０００５】
【課題を解決するための手段】
本発明は、
建築物の床と、該床に目地を介して隣接する地盤との間に差し渡されて前記目地を覆うカバー体の一端を、前記床の側縁に連結手段を介して揺動可能に連結し、該カバー体の他端を自由端として、該自由端の上部端縁からカバー体の上面と略面一となるように、地盤側に向けて端部カバー板を延出し、さらに該自由端に、前縁を上方へ向けて傾斜する傾斜端縁とする略三角形状の複数の傾斜板を配設して、端部カバー板の基端を傾斜板の上辺で支持するとともに、
前記地盤の側縁に、水平受縁と、該水平受縁の外端に前記傾斜端縁と同方向に傾斜する傾斜受縁とを備えた摺動受枠体を配設し、
前記摺動受枠体の水平受縁上に、前記カバー体の自由端を乗載するとともに、前記端部カバー板の外端を地盤上に乗載し、該端部カバー板によってカバー体の傾斜端縁と摺動受枠体の傾斜受縁間に生じる作動空隙の上方を遮蔽するようにしたことを特徴とする目地カバー装置である。
【０００６】
この構成にあって、前記連結手段を、
建築物の床の側縁に配設されて、目地の長手方向に沿って延在し、カバー体の一端が乗載される水平受縁を備えた保持受枠体と、
前記保持受枠体の水平受縁に立設されて、カバー体の底板に形成された挿通孔に遊嵌され、その上端にばね受部材が被着された複数の連結杆と、
前記連結杆に外嵌されて、カバー体の底板とばね受部材との間に介装され、カバー体を下方に付勢するばねと
によって構成したものが連結手段の好適な実施態様として提案され得る。
【０００７】
かかる構成にあって、カバー体の上面及び端部カバー板が地盤の上面と略面一となるように設けられていることにより、常時は、該カバー体及び端部カバー板と周囲の地盤との間に段差が生じることがない。また、地震時において、建築物と、隣接する地盤とが近接する方向に比較的小さく相対変位すると、カバー体の自由端が摺動受枠体の水平受縁上を作動空隙の範囲内で水平に摺動してその相対変位に追従し、さらに大きく相対変位すると、カバー体は、一端の連結部を支点として、自由端に形成された傾斜端縁が、摺動受枠体の傾斜受縁に沿ってずれ上がることにより、その相対変位から逃げることができる。
【０００８】
【発明の実施の形態】
本発明の第一の実施例を図１〜図４について説明する。
図面において、Ａは建築物、Ｂは該建築物Ａの周囲に形成された人工の地盤であって、目地ｓを介して隣接している。前記建築物Ａは、図示省略されているが、緩衝機能を備えた免震装置によって下部が支持されており、免震構造となっている。また、目地ｓは、建築物Ａの周囲に沿って所定幅で形成され、地震時における建築物Ａと周囲の地盤Ｂとの水平方向の相対的な揺れを吸収し得るようになっている。尚、建築物Ａは、その出入り口部分が図示されており、該出入り口部分には外壁のない床ｆが目地ｓに向けて突成されている。
【０００９】
前記地盤Ｂの側縁上には、左右方向（目地ｓに直交する方向）に比較的長い水平受縁１ａと、該水平受縁１ａの外端から地盤Ｂの上面２に向けて上り勾配で傾斜する傾斜受縁１ｂとを備えた摺動受枠体１が配設されている。該摺動受枠体１は、目地ｓの長手方向に沿って延在するように所定の長さで形成されており、図６に示すように、複数個のカバー体Ｃを連続状に配置した状態において、その両端に位置するカバー体Ｃ，Ｃの側方に、該カバー体Ｃ，Ｃが摺動し得る作動空隙３ｂ，３ｂが夫々生じるようにしている。
【００１０】
また、地盤Ｂの側端には、通水溝路４が目地ｓ内に突成されている。該通水溝路４は、目地ｓの長手方向に沿って配設され、その内側壁４’が建築物Ａの床ｆの下方に臨むように設けられており、該通水溝路４によって、上方から目地ｓ内に流入した雨水等を排水するようにしている。
【００１１】
建築物Ａと地盤Ｂとの間には、カバー体Ｃが差し渡され、目地ｓを覆っている。該カバー体Ｃは、図６に示すように、目地ｓの長手方向に沿って複数個が連続状に配設されるものであって、各カバー体Ｃは、図１に示すように、その一端の下部が建築物Ａの床ｆの側縁上に後述の連結手段５を介して揺動可能に連結され、他端を自由端としており、該自由端が前記摺動受枠体１の水平受縁１ａ上に摺動可能に乗載されている。該自由端にはその下面から外端上面に向けて傾斜する傾斜端縁６が設けられており、該傾斜端縁６は、前記摺動受枠体１の傾斜受縁１ｂと略同一勾配となっている。ここで、カバー体Ｃの自由端は、その傾斜端縁６と前記摺動受枠体１の傾斜受縁１ｂとの間に適宜幅の空隙が生じるようにして水平受縁１ａ上に乗載されており、この空隙を作動空隙３ａとしている。
【００１２】
さらに、カバー体Ｃの自由端には、前記傾斜端縁６の上部からカバー体Ｃの上面８と略面一となるようにして端部カバー板７が地盤Ｂ側に向けて延出されており、該端部カバー板７の外端が地盤Ｂの上面２に摺動可能に乗載されている。そして、該端部カバー板７によって、前記作動空隙３ａの上方を遮蔽するようにしている。
【００１３】
また、カバー体Ｃの自由端が乗載される摺動受枠体１の水平受縁１ａ上には、上面にテフロンコーティング等の滑性面を形成した薄板状のパッキン１５が被着されており、該パッキン１５の滑性面によって、カバー体Ｃの自由端の摺動が容易となるようにしている。
【００１４】
前記カバー体Ｃは、矩形状の周枠の内部が仕切板９によって上下に区画され、上部には仕上材１０が充填される凹部１１が形成されており、下部は複数のメインバー１２ａとクロスバー１２ｂとを格子状に配設してなる剛性基枠部１３によって構成されている。該剛性基枠部１３はグレーチングとして一般に用いられるものと同一の構造であり、この剛性基枠部１３によって、カバー体Ｃ上にかかる荷重に耐え得る所定の強度を得るようにしている。また、カバー体Ｃの周枠の前縁部は、垂直板部３２ａと該垂直板部３２ａの上端から前方に突成された水平板部３２ｂとにより断面Ｌ形に形成され、該垂直板部３２ａと水平板部３２ｂ間に略三角形状の複数の傾斜板３２ｃが配設されている。そして、この傾斜板３２ｃによって前記傾斜端縁６が構成されており、水平板部３２ｂによって前記端部カバー板７が構成されている。また、前記凹部１１には、モルタルｍ及びタイルｔ等からなる床仕上材１０を充填するようにしている。
【００１５】
次に前記連結手段５を図２，図３に基づいて説明する。
建築物Ａの床ｆの側縁上には、目地ｓの長手方向に沿って延在するように保持受枠体１４が配設されている。該保持受枠体１４は、水平受縁１４ａと垂直縁１４ｂとを備えた断面Ｌ形に形成されている。水平受縁１４ａの上面には、図３に示すように、狭幅の平板状に形成された支持体１７が固着されており、その上面を、カバー体Ｃの下面に接触して該カバー体Ｃを揺動可能に支持する支持縁１８としている。尚、該支持体１７は、断面半円形状や断面三角形状等に形成して、その周面や上部稜線を支持縁１８とすることもできる。このように形成すると支持縁１８がカバー体Ｃの下面に線接触して、該カバー体Ｃの揺動時の支持をより安定させることができる。
【００１６】
さらに、前記保持受枠体１４の水平受縁１４ａには、その下面側から挿通して該水平受縁１４ａに固着したボルトからなる複数の連結杆１９が所定間隔で立設されている。各連結杆１９は、前記支持縁１８でカバー体Ｃの下面を支持した状態において、カバー体Ｃの底板２０に形成された挿通孔２１に遊嵌され、その上端にはナットからなるばね受部材２２が螺着されている。また、各連結杆１９には、前記ばね受部材２２とカバー体Ｃの底板２０との間に介装するようにしてコイル状のばね２３が外嵌されており、該ばね２３によってカバー体Ｃを常時下方に付勢するようにしている。これによりカバー体Ｃの一端が保持受枠体１４に対して揺動可能となっている。
【００１７】
これにより連結手段５が構成され、該連結手段５によってカバー体Ｃの一端が建築物Ａの床ｆの側縁に揺動可能に連結されている。また、この連結状態において、カバー体Ｃの上面８が建築物Ａの床ｆの上面と同一高さとなるようにしている。
【００１８】
尚、カバー体Ｃには、前記連結杆１９の上方に対応する位置に、ばね２３やばね受部材２２の取付け用操作口１６が開口され、該操作口１６を不使用時に遮蔽するキャップ２４が着脱自在に嵌着される。
【００１９】
かかる構成にあって、カバー体Ｃは、その上面８及び端部カバー板７が、建築物Ａの床ｆの上面及び地盤Ｂの上面２と略面一になるように配設されていることにより、常時は、図４イに示すように、該カバー体Ｃと、建築物Ａの床ｆ又は地盤Ｂとの間に段差が生じることがない。また、地震時において、建築物Ａと、隣接する地盤Ｂとが近接する方向に比較的小さく相対変位すると、図４ロに示すように、カバー体Ｃの自由端が摺動受枠体１の水平受縁１ａ上を作動空隙３ａの範囲内で水平に摺動してその相対変位に追従し、さらに大きく相対変位すると、カバー体Ｃは、図４ハに示すように、連結手段５により連結された一端を支点として、自由端に形成された傾斜端縁６が、摺動受枠体１の傾斜受縁１ｂに沿ってずれ上がることにより、その相対変位から逃げることができる。これにより、建築物Ａ及びカバー体Ｃの損傷が防止され得る。ここで、上記のように、作動空隙３ａの範囲内での比較的小さな相対変位に対しては、カバー体Ｃの自由端が摺動受枠体１の傾斜受縁１ｂに沿っていきなりずれ上がることがないため、近隣にいる歩行者等を傷つけることがなく、その安全性を確保し得るものとなっている。
【００２０】
また、建築物Ａと、隣接する地盤Ｂとが離れる方向に相対変位すると、カバー体Ｃは、その自由端が摺動受枠体１の水平受縁１ａ上を、傾斜受縁１ｂと逆方向に向けて水平に摺動してその相対変位に追従する。
【００２１】
そして、地震が終って建築物Ａと地盤Ｂとが定常位置に戻ると、これに伴なってカバー体Ｃの自由端も、図４イ及び図１に示した水平受縁１ａ上の定常位置に戻り、カバー体Ｃが定常状態に復帰する。
【００２２】
また、建築物Ａと、隣接する地盤Ｂとが前後方向（目地ｓに沿う方向）に相対変位すると、カバー体Ｃの自由端は、摺動受枠体１の水平受縁１ａ上を前後方向に摺動してその相対変位に追従する。ここで、図６に示すように、目地ｓに沿って連続状に配置された複数個のカバー体Ｃの、その両端に位置するカバー体Ｃ，Ｃの側方に位置させて、摺動受枠体１の側端部に作動空隙３ｂ，３ｂが設けられていることにより、該作動空隙３ｂ，３ｂによって各カバー体Ｃの自由端の前後方向の摺動が可能となっている。
【００２３】
さらに、建築物Ａと、隣接する地盤Ｂとが上下方向に相対変位すると、カバー体Ｃは、連結手段５により建築物Ａの床ｆの側縁に連結された一端を支点として、建築物Ａもしくは隣接する地盤Ｂの上下動に伴なって傾動して、その相対変位に追従する。
【００２４】
図５，図６は、他の構成を備えた目地カバー装置の第二の実施例を示すものであって、上記第一実施例と同一構成の部分には、同一符合を付してその詳細な説明を省略する。
【００２５】
この実施例にあって、カバー体Ｃは、複数のメインバー２５ａとクロスバー２５ｂとを格子状に配設してなる矩形状の剛性基枠体２６の上面に、該剛性基枠体２６を覆う矩形状のカバー板２７が固着されてなる。この剛性基枠部２６としてのグレーチングは、前記第一実施例のメインバー１２ａより上下幅及び肉厚を広くしたメインバー２５ａと、前記第一実施例のクロスバー１２ｂより太くしたクロスバー２５ｂとによって構成されており、このように、カバー板２７の下部に堅牢なグレーチングからなる剛性基枠体２６が配設されていることにより、前記第一実施例のものと比して強度が向上されており、カバー体Ｃ上に車両等の大荷重がかかっても、これに耐え得る高い強度が得られるようにしている。
【００２６】
前記カバー体Ｃは、図６に示すように、目地ｓの長手方向に沿って複数個が連続状に配設されている。各カバー体Ｃは、図５に示すように、その一端の下部が建築物Ａの床ｆの側縁上に前記連結手段５を介して揺動可能に連結され、他端を自由端としており、該自由端が地盤Ｂの側縁上に配設された摺動受枠体１の水平受縁１ａに摺動可能に乗載されている。また、該自由端の端縁から前記カバー板２７の外端部を延出させて、その外端が地盤Ｂの上面２に摺動可能に乗載されており、このカバー板２７の外端部によって端部カバー板７が構成されている。
【００２７】
カバー体Ｃの自由端には、その下面から外端上面に向けて傾斜する傾斜端縁６が設けられている。該傾斜端縁６は、前記剛性基枠体２６の前縁部とカバー板２７の外端部間に配設された略三角形状の複数の傾斜板２８によって構成されており、摺動受枠体１に形成された傾斜受縁１ｂと略同一勾配となっている。また、カバー体Ｃの自由端は、その傾斜端縁６と摺動受枠体１の傾斜受縁１ｂとの間に適宜幅の作動空隙３ａが生じるようにして水平受縁１ａ上に乗載されており、さらに、この作動空隙３ａの上方を前記端部カバー板７によって遮蔽するようにしている。
【００２８】
前記摺動受枠体１の水平受縁１ａには、作動空隙３ａ部分に位置させて水抜きパイプ２９の一端が開口されており、該水抜きパイプ２９の他端は、通水溝路４の上方で地盤Ｂの側端面３０に開口されている。この水抜きパイプ２９によって、水平受縁１ａの作動空隙３ａを目地ｓに連通させるようにしている。
【００２９】
また、上述したように、摺動受枠体１は、目地ｓの長手方向に沿って延在するように所定の長さで形成されており、図６に示すように、複数個のカバー体Ｃを連続状に配置した状態において、その両端に位置するカバー体Ｃ，Ｃの側方に、該カバー体Ｃ，Ｃが摺動し得る作動空隙３ｂ，３ｂが夫々生じるようにしている。そして、この両端に位置するカバー体Ｃ，Ｃの側縁から両カバー体Ｃ，Ｃの上面と略面一となるようにして側部カバー板３１，３１が側方に向けて夫々突設されており、各側部カバー板３１，３１によって前記作動空隙３ｂ，３ｂの上方を遮蔽するようにしている。尚、ここで作動空隙３ｂ，３ｂは、両端に位置するカバー体Ｃ，Ｃが夫々側方に移動し得る側部空隙を意味し、必ずしも摺動受枠体１の両端部分のみを指すものではない。
【００３０】
かかる構成にあって、建築物Ａと、隣接する地盤Ｂとの相対変位に対するカバー体Ｃの追従機能は、前記第一実施例のものと同様であり、建築物Ａと、隣接する地盤Ｂとの、離近方向，前後方向及び上下方向の各相対変位に前記と同様に追従することができる。
【００３１】
また、水抜きパイプ２９によって、水平受縁１ａの作動空隙３ａが目地ｓに連通されていることにより、該作動空隙３ａに流入した雨水や清掃時の汚水等を、前記水抜きパイプ２９を介して目地ｓ側に排水することができるとともに、この排水される雨水等によって作動空隙３ａに溜る埃，砂等も除去することができる。これにより、作動空隙３ａ内の異物が除去され、カバー体Ｃの自由端の良好な摺動作用が維持される。また、水抜きパイプ２９の他端が通水溝路４の上方で地盤Ｂの側端面３０に開口されていることにより、水抜きパイプ２９の他端から排出された雨水，埃，砂等は、通水溝路４に流れ込み、外部に排出されることとなる。
【００３２】
一方、上記のように、両端に位置するカバー体Ｃ，Ｃの側縁に、作動空隙３ｂ，３ｂの上方を遮蔽する側部カバー板３１，３１が夫々配設されていることにより、該側部カバー板３１，３１によって、作動空隙３ｂ，３ｂの段差に歩行者等がつまずくような危険性を排除し、その安全性を高め得るようにしている。
【００３３】
尚、この実施例にあっては、カバー体Ｃを複数に分割形成し、これを目地ｓの長手方向に沿って連続状に配置しているが、これに代えてカバー体Ｃを所定の長さで一体形成することも可能であり、また、該カバー体Ｃの一側縁のみに側部カバー板３１を配設するようにしてもよい。
【００３４】
また、前記水抜きパイプ２９及び側部カバー板３１，３１は、第一実施例の構成からなる目地カバー装置にも適用することが可能である。さらに、前記水抜きパイプ２９は、第一及び第二実施例のように、建築物Ａと、隣接する地盤Ｂとが近接する方向に大きく相対変位した場合において、連結手段５により連結された一端を支点として、自由端に形成された傾斜端縁６が、摺動受枠体１の傾斜受縁１ｂに沿ってずれ上がるようにした構成を備えた目地カバー装置以外の目地カバー装置にも適用することが可能である。即ち、かかる目地カバー装置としては、第一及び第二実施例において、連結手段５のばね２３を除去し、連結杆１９に螺着されるナット２２によってカバー体Ｃの一端を保持受枠体１４に揺動不能に固定する一方、カバー体Ｃの自由端の傾斜端縁６を除去するとともに、摺動受枠体１を断面略Ｌ形に形成することにより、傾斜受縁１ｂを、水平受縁１ａの外端から垂直に立ち上る垂直縁に変更してなる目地カバー装置が提案され得る。
【００３５】
さらに、本発明にかかる目地カバー装置は、免震装置によって下部が支持された免震構造の建築物以外の一般的な建築物にも適用することが可能である。
【００３６】
【発明の効果】
本発明は、上述のように、カバー体Ｃの一端を、建築物Ａの床ｆの側縁に連結手段５を介して揺動可能に連結し、該カバー体Ｃの他端を自由端として、該自由端にその下面から外端上面に向けて傾斜する傾斜端縁６を設けるとともに、該傾斜端縁６の上部からカバー体Ｃの上面８と略面一となるようにして端部カバー板７を地盤Ｂ側に向けて延出させる一方、該地盤Ｂの側縁に、水平受縁１ａと、該水平受縁１ａの外端に前記傾斜端縁６と同方向に傾斜する傾斜受縁１ｂとを備えた摺動受枠体１を配設し、該摺動受枠体１の水平受縁１ａ上に、前記カバー体Ｃの自由端を乗載するとともに、前記端部カバー板７の外端を地盤Ｂ上に乗載し、該端部カバー板７によってカバー体Ｃの傾斜端縁６と摺動受枠体１の傾斜受縁１ｂ間に生じる作動空隙３ａの上方を遮蔽するようにしたから、カバー体Ｃと地盤Ｂとの間に段差が生じることがなく、これにより、建築物Ａの出入り口部分の段差が通行等の障害になるという従来の問題点を解消することができる。
【００３７】
また、地震時において、建築物Ａと、隣接する地盤Ｂとが近接する方向に比較的小さく相対変位すると、カバー体Ｃの自由端が摺動受枠体１の水平受縁１ａ上を作動空隙３ａの範囲内で水平に摺動してその相対変位に追従し、さらに大きく相対変位すると、連結手段５により連結された一端を支点として、自由端に形成された傾斜端縁６が、摺動受枠体１の傾斜受縁１ｂに沿ってずれ上がることにより、その相対変位から逃げることができるので、建築物Ａ及びカバー体Ｃの損傷を防止することができるとともに、上記のように、作動空隙３ａの範囲内での比較的小さな相対変位に対しては、カバー体Ｃの自由端が摺動受枠体１の傾斜受縁１ｂに沿っていきなりずれ上がることがないため、近隣にいる歩行者等を傷つけるような危険性がなく、その安全性を確保することができる。
【００３８】
また、摺動受枠体１の水平受縁１ａに一端を開口させ、他端を地盤Ｂの側端面３０に開口させた水抜きパイプ２９によって、水平受縁１ａの作動空隙３ａを目地ｓに連通させたことにより、該作動空隙３ａに流入した雨水や清掃時の汚水等を、前記水抜きパイプ２９を介して目地ｓ側に排水することができるとともに、この排水される雨水等によって作動空隙３ａに溜る埃，砂等も除去することができる。これにより、作動空隙３ａ内の異物が除去され、カバー体Ｃの自由端の良好な摺動作用が維持することができる。
【００３９】
さらに、カバー体Ｃの少なくとも一側縁からカバー体Ｃの上面８と略面一となるようにして側部カバー板３１を側方に向けて突設し、該側部カバー板３１によってカバー体Ｃの側方に生じる作動空隙３ｂの上方を遮蔽するようにしたから、該側部カバー板３１によって、作動空隙３ｂの段差に歩行者等がつまずくような危険性が排除され、その安全性が高められ得る等の優れた効果がある。
【図面の簡単な説明】
【図１】本発明に係る目地カバー装置の第一実施例の施工状態を示す縦断側面図である。
【図２】連結手段５部分の拡大図である。
【図３】連結手段５を構成する保持受枠体１４部分の斜視図である。
【図４】カバー体Ｃの作用を示す概略図である。
【図５】本発明に係る目地カバー装置の第二実施例の施工状態を示す縦断側面図である。
【図６】第二実施例の目地カバー装置の平面図である。
【図７】従来構成の縦断側面図である。
【符号の説明】
Ａ  建築物
Ｂ  地盤
Ｃ  カバー体
ｆ  床
ｓ  目地
１  摺動受枠体
１ａ  水平受縁
１ｂ  傾斜受縁
３ａ  作動空隙
３ｂ  作動空隙
５  連結手段
６  傾斜端縁
７  端部カバー板
８  上面
１４  保持受枠体
１４ａ  水平受縁
１９  連結杆
２０  底板
２１  挿通孔
２２  ばね受部材（ナット）
２３  ばね
２９  水抜きパイプ
３０  側端面
３１  側部カバー板
【図１】
0003828242.tif 000002
【図２】
0003828242.tif 000003
【図３】
0003828242.tif 000004
【図４】
0003828242.tif 000005
【図５】
0003828242.tif 000006
【図６】
0003828242.tif 000007
【図７】
0003828242.tif 000008